【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
外部装置に保持されている外部アプリケーションと自装置内に保持している内部アプリケーションを利用可能な画像処理装置であって、
過去に表示された操作画面に戻すことを指示するための操作キーとともに、前記外部アプリケーションの操作画面を表示部に表示させる表示制御手段と、
前記操作キーが操作された場合に、操作画面の遷移先が前記外部アプリケーションの操作画面であるか否かを判定する判定手段と、
前記判定手段によって前記遷移先が前記外部アプリケーションの操作画面であると判定されると、当該外部アプリケーションの操作画面を前記表示部に表示させ、前記判定手段によって前記遷移先が前記外部アプリケーションの操作画面でないと判定されると、前記内部アプリケーションの操作画面を前記表示部に表示させる制御手段と
を備えることを特徴とする画像処理装置。
【請求項２】
前記表示部に表示された操作画面の履歴情報を管理する管理手段を更に備え、
前記判定手段は、前記管理手段に管理された履歴情報に基づいて前記判定を行うことを特徴とする請求項１に記載の画像処理装置。
【請求項３】
前記判定手段は、前記履歴情報に含まれる情報が前記内部アプリケーションの操作画面を示す場合に、操作画面の遷移先が前記外部アプリケーションの操作画面でないと判定することを特徴とする請求項２に記載の画像処理装置。
【請求項４】
外部装置に保持されている外部アプリケーションと自装置内に保持している内部アプリケーションを利用可能な画像処理装置であって、
基本画面の表示を指示するための操作キーとともに、前記外部アプリケーションの操作画面を表示部に表示させる表示制御手段と、
前記操作キーが操作された場合に、操作画面の遷移先が前記外部アプリケーションの操作画面であるか否かを判定する判定手段と、
前記判定手段によって前記遷移先が前記外部アプリケーションの操作画面であると判定されると、当該外部アプリケーションの操作画面を前記表示部に表示させ、前記判定手段によって前記遷移先が前記外部アプリケーションの操作画面でないと判定されると、前記内部アプリケーションの操作画面を前記表示部に表示させる制御手段と
を備えることを特徴とする画像処理装置。
【請求項５】
ユーザの指示に従ってアプリケーションを選択する選択手段を更に備え、
前記判定手段は、前記選択手段による選択の結果に基づいて前記判定を行うことを特徴とする請求項４に記載の画像処理装置。
【請求項６】
前記判定手段は、前記選択手段により前記内部アプリケーションが選択されている場合に、操作画面の遷移先が前記外部アプリケーションの操作画面でないと判定することを特徴とする請求項５に記載の画像処理装置。
【請求項７】
前記表示制御手段はＷｅｂブラウザ機能を有し、前記外部アプリケーションの操作画面は前記外部装置のＷｅｂサーバ機能によって提供されることを特徴とする請求項１乃至６のいずれか１項に記載の画像処理装置。
【請求項８】
画像データを処理する処理手段を更に備え、
前記外部アプリケーションの操作画面は、前記処理手段による処理を実行させるための操作画面であることを特徴とする請求項１乃至７のいずれか１項に記載の画像処理装置。
【請求項９】
前記内部アプリケーションはメニュー画面を提供するアプリケーションであることを特徴とする請求項１乃至８のいずれか１項に記載の画像処理装置。
【請求項１０】
外部装置に保持されている外部アプリケーションと自装置内に保持している内部アプリケーションを利用可能な画像処理装置の制御方法であって、
表示制御手段が、過去に表示された操作画面に戻すことを指示するための操作キーとともに、前記外部アプリケーションの操作画面を表示部に表示させる表示制御工程と
判定手段が、前記操作キーが操作された場合に、操作画面の遷移先が前記外部アプリケーションの操作画面であるか否かを判定する判定工程と、
制御手段が、前記判定工程において前記遷移先が前記外部アプリケーションの操作画面であると判定されると、当該外部アプリケーションの操作画面を前記表示部に表示させ、前記判定工程において前記遷移先が前記外部アプリケーションの操作画面でないと判定されると、前記内部アプリケーションの操作画面を前記表示部に表示させる制御工程と
を備えることを特徴とする画像処理装置の制御方法。
【請求項１１】
外部装置に保持されている外部アプリケーションと自装置内に保持している内部アプリケーションを利用可能な画像処理装置の制御方法であって、
表示制御手段が、基本画面の表示を指示するための操作キーとともに、前記外部アプリケーションの操作画面を表示部に表示させる表示制御工程と
判定手段が、前記操作キーが操作された場合に、操作画面の遷移先が前記外部アプリケーションの操作画面であるか否かを判定する判定工程と、
制御手段が、前記判定工程において前記遷移先が前記外部アプリケーションの操作画面であると判定されると、当該外部アプリケーションの操作画面を前記表示部に表示させ、前記判定工程において前記遷移先が前記外部アプリケーションの操作画面でないと判定されると、前記内部アプリケーションの操作画面を前記表示部に表示させる制御工程と
を備えることを特徴とする画像処理装置の制御方法。
【請求項１２】
コンピュータを請求項１乃至９のいずれか１項に記載の画像処理装置の各手段として機能させるためのプログラム。
【手続補正２】
【補正対象書類名】明細書
【補正対象項目名】発明の名称
【補正方法】変更
【補正の内容】
【発明の名称】画像処理装置、その制御方法、及びプログラム
【手続補正３】
【補正対象書類名】明細書
【補正対象項目名】０００１
【補正方法】変更
【補正の内容】
【０００１】
本発明は、外部装置に保持されている外部アプリケーションと自装置内に保持している内部アプリケーションを利用可能な画像処理装置に関するものである。
【手続補正４】
【補正対象書類名】明細書
【補正対象項目名】０００６
【補正方法】変更
【補正の内容】
【０００６】
本発明は、上述の問題に鑑みて成されたものであり、外部アプリケーションと内部アプリケーションとの間における操作性に一体感を持たせ、ユーザの使い勝手を向上させる仕組みを提供することを目的とする。
【手続補正５】
【補正対象書類名】明細書
【補正対象項目名】０００７
【補正方法】変更
【補正の内容】
【０００７】
本発明の画像処理装置は、外部装置に保持されている外部アプリケーションと自装置内に保持している内部アプリケーションを利用可能な画像処理装置であって、過去に表示された操作画面に戻すことを指示するための操作キーとともに、前記外部アプリケーションの操作画面を表示部に表示させる表示制御手段と、前記操作キーが操作された場合に、操作画面の遷移先が前記外部アプリケーションの操作画面であるか否かを判定する判定手段と、前記判定手段によって前記遷移先が前記外部アプリケーションの操作画面であると判定されると、当該外部アプリケーションの操作画面を前記表示部に表示させ、前記判定手段によって前記遷移先が前記外部アプリケーションの操作画面でないと判定されると、前記内部アプリケーションの操作画面を前記表示部に表示させる制御手段とを備えることを特徴とする。また、本発明の画像処理装置は、外部装置に保持されている外部アプリケーションと自装置内に保持している内部アプリケーションを利用可能な画像処理装置であって、基本画面の表示を指示するための操作キーとともに、前記外部アプリケーションの操作画面を表示部に表示させる表示制御手段と、前記操作キーが操作された場合に、操作画面の遷移先が前記外部アプリケーションの操作画面であるか否かを判定する判定手段と、前記判定手段によって前記遷移先が前記外部アプリケーションの操作画面であると判定されると、当該外部アプリケーションの操作画面を前記表示部に表示させ、前記判定手段によって前記遷移先が前記外部アプリケーションの操作画面でないと判定されると、前記内部アプリケーションの操作画面を前記表示部に表示させる制御手段とを備えることを特徴とする。
【手続補正６】
【補正対象書類名】明細書
【補正対象項目名】０００８
【補正方法】変更
【補正の内容】
【０００８】
本発明は、例えば、外部アプリケーションと内部アプリケーションとの間における操作性に一体感を持たせ、ユーザの使い勝手を向上させることができる。